(57)【要約】【課題】軽量化、コンパクト化に優れているとともに省資源性、経済性に優れ、かつ、薄く小型で携帯性に優れるメガネ収納ケースを提供する。【解決手段】メガネのテンプルを折畳んだ状態で収納するためのメガネ収納ケースにおいて、（ｉ）．前記メガネ収納ケースが、メガネを収納するケース本体（１）と収納されたメガネの緩衝及び抜け防止を兼ねる蓋体（２）とで構成されるとともに、（ｉｉ）．  前記ケース本体（１）が、メガネ挿入用開口部（Ｏ）を有するように前枠部（１１）と後枠部（１２）を連接させて構成したメガネ収納部から成り、かつ、（ｉｉｉ）．前記蓋体（２）が、前記ケース本体（１）の幅方向にみて略全幅に及ぶ幅を有し、かつ、前記前枠部（１１）と後枠部（１２）の間に開閉自在に誇設されたものから成る、ことを特徴とする軽量かつコンパクトなメガネ収納ケース。【選択図】  図３
2004242724.tif 000002
【特許請求の範囲】
【請求項１】
メガネのテンプルを折畳んだ状態で収納するためのメガネ収納ケースにおいて、
（ｉ）．前記メガネ収納ケースが、メガネを収納するケース本体（１）と収納されたメガネの緩衝及び抜け防止を兼ねる蓋体（２）とで構成されるとともに、
（ｉｉ）．  前記ケース本体（１）が、メガネ挿入用開口部（Ｏ）を有するように前枠部（１１）と後枠部（１２）を連接させて構成したメガネ収納部から成り、かつ、
（ｉｉｉ）．前記蓋体（２）が、前記ケース本体（１）の幅方向にみて略全幅に及ぶ幅を有し、かつ、前記前枠部（１１）と後枠部（１２）の間に開閉自在に誇設されたものから成る、
ことを特徴とする軽量かつコンパクトなメガネ収納ケース。
【請求項２】
ケース本体が、
１）．左右レンズが収納する部位の断面形状がＵ字型のメガネ収納部で構成され、かつ、
２）．左右レンズが収納する部位の前枠部（１１）の高さ（ｄ１）と後枠部（１２）の高さ（ｄ２）が、略同一であるメガネ収納部で構成されたもの、
である請求項１に記載の軽量かつコンパクトなメガネ収納ケース。
【請求項３】
ケース本体（１）が、
１）．左右レンズが収納する部位の断面形状が逆Ｊ字型のメガネ収納部で構成され、かつ、
２）．左右レンズが収納する部位の前枠部（１１）の高さ（ｄ１）と後枠部（１２）の高さ（ｄ２）が、（ｄ１）＞（ｄ２）の関係にあるメガネ収納部で構成されたもの、
である請求項１に記載の軽量かつコンパクトなメガネ収納ケース。
【請求項４】
蓋体（２）が、その一端部が前枠部（１１）の内側に固着されるとともに、他端部が後枠部（１２）の外側に開閉自在に固着されたものである請求項１に記載の軽量かつコンパクトなメガネ収納ケース。
【請求項５】
蓋体（２）の一端部が、前枠部（１１）の内側の下部または上部に固着されるものである請求項４に記載の軽量かつコンパクトなメガネ収納ケース。
【請求項６】
蓋体（２）の一端部が、前枠部（１１）の内側の下部または上部に取外し自在固着されるものである請求項５に記載の軽量かつコンパクトなメガネ収納ケース。
【請求項７】
メガネのテンプルを折畳んだ状態で収納するためのメガネ収納ケースにおいて、
（ｉ）．前記メガネ収納ケースが、メガネを収納するケース本体（１）、収納されたメガネの緩衝及び抜け防止を兼ねる蓋体（２）、及び、前記蓋体（２）の開きを防止するバンド（２４）、とで構成されるとともに、
（ｉｉ）．前記ケース本体（１）が、メガネ挿入用開口部（Ｏ）を有するように前枠部（１１）と後枠部（１２）を連接させて構成したメガネ収納部から成り、
（ｉｉｉ）．前記蓋体（２）が、前記ケース本体（１）の幅方向にみて略全幅に及ぶ幅を有し、かつ、前記前枠部（１１）と後枠部（１２）の間に開閉自在に誇    設されて構成され、かつ、
（ｉｖ）．前記バンド（２４）が、前記蓋体（２）の幅よりも狭い幅を有し、かつ、前記ケース本体（１）の略中央部において前記前枠部（１１）と後枠部（１２）の間に開閉自在に誇設されたものから成る、
ことを特徴とする軽量かつコンパクトなメガネ収納ケース。
【請求項８】
蓋体（２）が、その一端部がケース本体（１）の前枠部（１１）の内側に固着され、他端部が後枠部（１２）の内側もしくは外側に及ぶとともに、自由端として構成され、かつ、バンド（２４）が、その一端部が前枠部（１１）の外側に固着され、かつ、他端部が後枠部（１２）の外側に開閉自在に固着されるものである請求項７に記載の軽量かつコンパクトなメガネ収納ケース。
【請求項９】
バンド（２４）の一端部が、前枠部（１１）の外側に取外し自在に固着されるものである請求項８に記載の軽量かつコンパクトなメガネ収納ケース。
【請求項１０】
バンド（２４）が、一端部がケース本体（１）の後枠部（１２）に配設されるとともに、他端部がケース本体（１）の底部から前枠部（１１）の上部、更に後枠部（１２）へ周設されるものである請求項８に記載の軽量かつコンパクトなメガネ収納ケース。
【発明の詳細な説明】
【０００１】
【発明の属する技術分野】
本発明は、メガネ（眼鏡）やサングラス（以下、単にメガネという。）の収納ケースに関する。
更に詳しくは、本発明は、軽量化、コンパクト化に優れているとともに省資源性、経済性に優れ、かつ、薄く小型で携帯性に優れるメガネ収納ケースに関する。
【０００２】
【従来の技術】
メガネを収納するケースとして、種々のものが提案されている。
例えば、上下蓋体をヒンジ部を介して略１８０度開成するタイプのケースにメガネ全体を収納するもの（特開２００１−９５６１５）、また、所定箇所に切り込みと折り目線を形成したプラスチックプレートを利用するとともに二つの折曲線を組み合わせてケースとし、これにメガネ全体を収納するもの（特開２０００−６０６２２）、あるいは、布製の袋状ケースにメガネ全体を出入れ自在に収納したりするもの（特開平９−２９４６１９）、などが提案されている。
【０００３】
従来から提案されているメガネ収納ケースは、ケース自体の材質が金属製であったり金属板に合成樹脂を被覆したりしたもので構成されるため軽量性に欠けていたり、あるいはプラスチック製にして軽量化を図ったものでもメガネ全体を包囲（外包）して収納するため嵩張るためコンパクト性に欠けている。
また、折畳んだメガネのメガネ収納ケースへの収納（装着）あるいはメガネ収納ケースからの取出しが不便であったり、あるいはケース自体の構造強度が低くメガネを破損させるという欠点がある。
【０００４】
【発明が解決しようとする課題】
本発明は、従来のメガネ収納ケースにみられる前記した欠点を解消すべく創案されたものである。
本発明者は、前記した従来のメガネ収納ケースの欠点を解消すべく鋭意検討した。
その結果、本発明者は、メガネ全体を包囲（外包）して収納するという従来方式を採用せず、メガネ収納ケースを折畳んだメガネを容易に収納する（及び取り出す）ための大きな開口部を有するケース本体と、収納されたメガネに対するクッション材としての機能と収納されたメガネの飛び出しを防止する機能を持つ柔軟性の蓋体、とで構成したとき、メガネの破損の防止はもとより、軽量化、コンパクト化などの諸特性に優れたメガネ収納ケースが得られる、という知見を見い出した。
【０００５】
更にまた、本発明者は、前記収納部本体の左右レンズを収納する部位において、レンズ前面部の全体的保護及びレンズ後端部の一部保護という考え方を採用したとき、具体的には収納部本体の前枠部（前面部）の高さに対して後枠部（後面部）の高さを低いものにしたとき、メガネの破損の防止はもとより、軽量化、コンパクト化などの諸特性に優れたメガネ収納ケースが得られる、という知見を見い出した。
【０００６】
本発明は、前記した知見をベースにして完成されたものである。
本発明により、軽量かつコンパクトであり、即ち薄く軽量でしかも小型であり、かつ携帯性に優れ上着、ワイシャツ、ズボンなどのポケットに入れても嵩張らないとともにポケットへの出し入れがし易く、更には、メガネの収納ケースへの収納および取出しの利便性やメガネの耐破損性（安全性）に優れる経済的なメガネ収納ケースが提供される。
【０００７】
【課題を解決するための手段】
本発明を概説すれば、本発明の第１の発明は、メガネのテンプルを折畳んだ状態で収納するためのメガネ収納ケースにおいて、
（ｉ）．前記メガネ収納ケースが、メガネを収納するケース本体（１）と収納されたメガネの緩衝及び抜け防止を兼ねる蓋体（２）とで構成されるとともに、
（ｉｉ）．  前記ケース本体（１）が、メガネ挿入用開口部（Ｏ）を有するように前枠部（１１）と後枠部（１２）を連接させて構成したメガネ収納部から成り、かつ、
（ｉｉｉ）．前記蓋体（２）が、前記ケース本体（１）の幅方向にみて略全幅に及ぶ幅を有し、かつ、前記前枠部（１１）と後枠部（１２）の間に開閉自在に誇設されたものから成る、
ことを特徴とする軽量かつコンパクトなメガネ収納ケースに関するものである。
【０００８】
また、本発明の第２の発明は、メガネのテンプルを折畳んだ状態で収納するためのメガネ収納ケースにおいて、
（ｉ）．前記メガネ収納ケースが、メガネを収納するケース本体（１）、収納されたメガネの緩衝及び抜け防止を兼ねる蓋体（２）、及び、前記蓋体（２）の開きを防止するバンド（２４）、とで構成されるとともに、
（ｉｉ）．前記ケース本体（１）が、メガネ挿入用開口部（Ｏ）を有するように前枠部（１１）と後枠部（１２）を連接させて構成したメガネ収納部から成り、
（ｉｉｉ）．前記蓋体（２）が、前記ケース本体（１）の幅方向にみて略全幅に及ぶ幅を有し、かつ、前記前枠部（１１）と後枠部（１２）の間に開閉自在に誇    設されて構成され、かつ、
（ｉｖ）．前記バンド（２４）が、前記蓋体（２）の幅よりも狭い幅を有し、かつ、前記ケース本体（１）の略中央部において前記前枠部（１１）と後枠部（１２）の間に開閉自在に誇設されたものから成る、
ことを特徴とする軽量かつコンパクトなメガネ収納ケースに関するものである。
【０００９】
特に、本発明の前記第１〜第２の発明は、前記ケース本体（１）に注目すれば、ケース本体（１）は、
１）．左右レンズが収納する部位の断面形状がＵ字型のメガネ収納部で構成され、かつ、
２）．左右レンズが収納する部位の前枠部（１１）の高さ（ｄ１）と後枠部（１２）の高さ（ｄ２）が、略同一であるメガネ収納部で構成されたもの、
という特徴を有する軽量かつコンパクトなメガネ収納ケースに関するものである。
【００１０】
更にまた、本発明の前記第１〜第２の発明は、前記ケース本体（１）に注目すれば、更に軽量化を図るためにケース本体（１）は、
１）．左右レンズが収納する部位の断面形状が逆Ｊ字型のメガネ収納部で構成され、かつ、
２）．左右レンズが収納する部位の前枠部（１１）の高さ（ｄ１）と後枠部（１２）の高さ（ｄ２）が、（ｄ１）＞（ｄ２）の関係にあるメガネ収納部で構成されたもの、
という特徴と有する軽量かつコンパクトなメガネ収納ケースに関するものである。
【００１１】
【発明の実施の態様】
以下、本発明の技術的構成及び実施態様を図面を参照して詳しく説明する。
なお、本発明は図示のものに限定されないことはいうまでもないことである。
【００１２】
図１〜図２は、本発明のメガネ収納ケース（Ａ）の第１実施態様を説明する図である。
また、図１０〜図１１、本発明のメガネ収納ケース（Ａ）に収納される従来周知のメガネ（３）の一部斜視図である。
【００１３】
本発明のメガネ収納ケース（Ａ）に収納されるメガネ（３）の形状や構造は、図１０〜図１１に示されるものに限定されない。
図１０に示されるメガネ（３）は、左右レンズ（３０、３０）、左右レンズ固定フレーム（３１、３１）、前記固定フレーム（３１、３１）の連結ブリッジ（３２）、前記固定フレーム（３１、３１）に折畳み自在に配設された左右テンプル（３３、３３）、から構成されている。
なお、図１０には、左右テンプル（３３、３３）の−端部には、テンプル本体を耳部に係止させる左右先セル（３３１、３３１）、メガネの鼻部における受部材、即ち左右鼻当パッド（３４、３４）も示されている。
前記メガネ（３）において、左右レンズ固定フレーム（３１、３１）は、図１０のように左右レンズ（３０、３０）の全周を縁取る形式のものでなく、その一部を縁取るタイプのものであってもよいことはいうまでもない。
【００１４】
図１１に示されるメガネ（３）は、前記図１０に示されるものと比較して大きく異なる点は、左右レンズ（３０、３０）を固定するための左右レンズ固定フレーム（３１、３１）を省略し、かつ、テンプル（３３、３３）及びブリッジ（３２）を左右レンズ（３０、３０）に直接、配設している点にある。
本発明のメガネ収納ケース（Ａ）に収納されるメガネ（３）の形状、構造は、前記図１０〜図１１のものは単なる例示であると解すべきであり、これらに限定されるものではない。
【００１５】
本発明のメガネ収納ケース（Ａ）の第１実施態様に関する図１〜図２は、それぞれ次のことを示している。
１）．図１は、本発明の第１実施態様のメガネ収納ケース（Ａ）の全体斜視図を示す。
２）．図２は本発明の第１実施態様のメガネ収納ケース（Ａ）に折畳まれたメガネ（３）を収納した状態であって、かつ、その幅方向中央部の断面図を示す。
【００１６】
図１〜図２に示されるように、本発明の第１実施態様のメガネ収納ケース（Ａ）は、
１）．ケース本体（１）が、メガネ挿入用（及び取出し用）開口部（Ｏ）を有するとともに、左右レンズ（３０，３０）が収納する部位の断面形状がＵ字型であるメガネ収納部からなり、かつ、
２）．その前枠部（１１）と後枠部（１２）の高さ（ｄ１  ，ｄ２  ）が、略同一に（ｄ１  ＝ｄ２  ）に構成され、また、
３）．蓋体（２）が、前記ケース本体（１）の開口部（Ｏ）のほぼ全幅に及ぶ幅を有するとともに、その一端部（２１）が前枠部（１１）の内側の下部に固着され、他端部（２２）が後枠部（１２）の外側に固着具（２３）を介して開閉自在に固着される、
点に特徴を有する。
【００１７】
本発明の第１実施態様のメガネ収納ケース（Ａ）は、前記したように前枠体（１１）の高さ（ｄ１  ）と後枠体（１２）の高さ（ｄ２）が略同一（ｄ１  ＝ｄ２  ）  であるため、後述する第２実施態様のもの（ｄ１  ＞ｄ２  ）と比較して軽量化の点で少し劣るが、メガネのメガネ収納ケース（Ａ）への挿入態様が自由であるため、即ち、レンズ（３０，３０）を前側にして挿入してもあるいは後側にして挿入してもよいため、その面での利便性に優れている。
【００１８】
本発明の第１実施態様のメガネ収納ケース（Ａ）において、蓋体（２）は、ケース内に収納されたメガネ（３）を傷付けたりしないように、あるいは外部からの衝撃力を緩和するために、ポリウレタン発泡シート、フェルト、皮などの柔軟な材料を単独あるいは積層して構成することが好ましい。
また、蓋体（２）のケース本体（１）への配設態様としては、その一端部（２１）の前枠部（１１）の内側下部に対する固着は、強固に固着してもよいし、あるいは取り外し自在に固着してもよい。後者の場合、蓋体（２）を取外してきれいにしたり、他のものと交換することができるという利点がある。
【００１９】
蓋体（２）の他端部（２２）と固着具（２３）の開閉自在の固着も所望に行えばよく、例えば、両部材をベルベット式ファスナーにより開閉自在に固着してもよい。
【００２０】
本発明において、前記第１実施態様のメガネ収納ケース（Ａ）には、以下に示すような種々の変形例が可能である。
１）．ケース本体（１）の前枠体（１１）及び後枠体（１２）の幅方向中央部に後述する第２実施態様のように凹部（１１１）を形成する（図３参照）。この場合、左右レンズを安定的にケース本体内に収納させることができる。
２）．図１に示されるように、ケース本体（１）の後枠部（１２）にクリップ（４）を配設し、ポケット等に引掛けやすくしてもよい。なお、前記クリップ（４）は、前枠部（１１）の側に配設してもよいことはいうまでもない。
なお、本発明において、前記した断面形状がＵ字型という用語は、Ｖ字型を含むように広く解釈されるべきである。
【００２１】
図３〜図４は、本発明のメガネ収納ケース（Ａ）の第２実施態様を説明する図である。
図３は第２実施態様のメガネ収納ケース（Ａ）の全体斜視図を示し、図４は図３に示される矢視Ｘからみたメガネ収納ケース（Ａ）の断面図である。なお、図４は、凹部（１１１）以外の部位の断面図とみるべきである。
【００２２】
本発明の第２実施態様のメガネ収納ケース（Ａ）において、ケース本体（１）は、図４に示されるようにほぼ「Ｊ」を逆にした形状（以下、逆Ｊ字型という。）のメガネ収納部（収納スペース）が形成されるように、かつ、上記開口部（Ｏ）が形成されるように前枠部（１１）と後枠部（１２）を連接して構成したものである。
なお、前記ケース本体（１）の前枠部（１１）は、図３に示されるように幅方向中央部に凹部（１１１）を有するものである。
【００２３】
本発明の第２実施態様のメガネ収納ケース（Ａ）における大きな特徴点は、軽量化、コンパクト化の要請のために、前枠部（１１）と後枠部（１２）の高さ（ｄ１  、ｄ２  ）（図４参照）は、（ｄ１  ）＞（ｄ２  ）の関係が成立するように設定されている点にある。
前記第２実施態様のメガネ収納ケース（Ａ）において、図４に示されるように、
１）．前枠部（１１）の高さ（ｄ１  ）は、収納されるメガネ（３）の左右レンズ（３０、３０）の損傷を防止するためにほぼ左右レンズを収容する高さに設定され、一方、
２）．後枠部（１２）の高さ（ｄ２  ）は、（ｄ１  ）＞（ｄ２  ）の関係を維持し、かつ、折畳まれたメガネ（３）のテンプル（３３）の部位の一部を覆う高さに設定されている。
本発明において、後者の後枠部（１２）の高さ（ｄ２）  は、収納されたメガネ（３）のテンプル（３３）の先端部の少なくとも先セル（３３１）の部分が覆われる高さに設定すればよい。
【００２４】
本発明の前記第２実施態様のメガネ収納ケース（Ａ）において、ケース本体（１）は、従来のメガネ全体を包囲（外包）して収納する形式のものではなく、前枠部（１１）と後枠部（１２）という構成、収納上部の開口部（Ｏ）という構成により、更にはケース本体（１）を合成樹脂製とすることにより、軽量化、コンパクト化の要請を十分に満足することができるものである。
【００２５】
本発明の第２実施態様のメガネ収納ケース（Ａ）は、図３〜図４に示されるように、収納されたメガネ（３）を損傷なく安定的に収納し、かつ抜けを防止するために前記開口部（Ｏ）のほぼ全幅にわたる蓋体（２）が配設される。前記蓋体（２）のメガネケース（１）に対する配設態様は、前記第１実施態様と同様である（図２及び図４参照）。蓋体（２）を柔軟性のある例えば発泡ポリウレタンレシート材、フェルト、皮などの柔軟な材料を単独あるいは積層して構成すれば、メガネレンズの表面をクッション的に保護することができる。なお、図３において、前枠部（１１）の角に配設した孔（５）は、ストラップ取付け用の孔である。
【００２６】
図５は、本発明の第３実施態様のメガネ収納ケース（Ａ）を説明する断面図であり、前記第２実施態様の図４に対応する図である。
本発明の第３実施態様のメガネ収納ケース（Ａ）は、前記第２実施態様のもの（図３〜図４参照）と比較して特徴的な点は蓋体（２）の配設態様である。
図示されるように、蓋体（２）は、ケース本体（１）の前枠部（１１）の上部にその一端部（２１）が固着されるとともに、他端部（２２）が後枠部（１２）の外側において固定具（２３）を介して開閉自在に固着される。
蓋体（２）の一端部（２１）の前枠部（１１）の上部での固着、及び、他端部（２２）の後枠部（１２）の外側での固定具（２３）を介しての開閉自在の固着は、前記第２実施態様で説明したように所望の態様で行えばよい。
なお、第３実施態様のメガネ収納ケース（Ａ）において、ケース本体（１）は、その前枠部（１１）の上部の形状をＲ（アール）としているが、前記第２実施態様のものと大きな違いはない。
【００２７】
図６〜図７は、本発明の第４実施態様のメガネ収納ケース（Ａ）を説明する図である。
図６は第４実施態様のメガネ収納ケース（Ａ）の全体斜視図であり、図７はメガネ収納ケース（Ａ）の幅中央部の断面図である。
【００２８】
本発明の第４実施態様のメガネ収納ケース（Ａ）は、図示されるように、
１）．蓋体（２）が、その一端部（２１）が前枠部（１１）の内側下部に固着され、かつ、その後端部（２２）が後枠部（１２）の外部に及ぶように配設されるとともに、後枠部（１２）に固着されないで自由端となるように配設され、更に、
２）．バンド（２４）が、前記蓋体（２）の開きを防止するために前記蓋体（２）を覆って配設される、
という特徴点がある。
【００２９】
前記バンド（２４）のケース本体（１）への配設態様は、図示されるように、前記蓋体（２）を覆うようにして、バンド（２４）の一端部（２４１）がケース本体（１）の前枠体（１１）に固着され、かつ、他端部（２４２）が後枠部（１２）の外周面に配設された固定具（２５）により開閉自在に固着される。
バンド（２４）の一端部（２４１）のケース本体（１）の前枠部（１１）への固着、及び、他端部（２４２）の後枠部（１２）の外側での固定具（２５）を介しての開閉自在の固着は、前記第２実施態様で説明したように所望の態様で行えばよい。
【００３０】
図８〜図９は、本発明の第５実施態様のメガネ収納ケース（Ａ）を説明する図である。
図８は、前記第４実施態様に係る図７に対応する図（ケース本体の幅方向略中央部の断面図）であり、また、図９は、本発明のメガネ収納ケース（Ａ）の使用態様を説明する図であり、ズボンのバンドに装着した状態を示す。なお、図示明確化のため、一部の部材のハッチングを省略してある。
【００３１】
本発明の第５実施態様のメガネ収納ケース（Ａ）の特徴点は、図示されるように、メガネ固定バンド（２４）の配設態様にある。
即ち、ケース本体（１）の後枠部（１２）の底部に穿設した穴部（１２１）を利用してバンド（２４）の一端部を後枠部（１２）に一周させ、前記一周させたバンド（２４）の一端部をケース本体（１）の底部でバンド（２４）の本体部にハトメ（２５）により固定し、かつ、バンド（２４）の他端部をケース本体（１）の底部から前枠部（１１）の上部を通り、再び後枠部（１２）に至るようにバンド（２４）をケース本体（１）の全周にわたり周設させている点に大きな特徴がある。
前記した要領で周設したバンド（２４）において、その他端部の後枠部（１２）での固着は、所望の固定方式を採用すればよい。図８は、固定具（２６）により固着した態様を示している。固定具（２６）による固定方式としては、バンド（２４）を両面ベルベット式ファスナーなどを採用すればよい。
【００３２】
本発明の第５実施態様のメガネ収納ケース（Ａ）は、前記した配設態様のメガネ固定バンド（２４）を有するため、図９に示されるように、ケース本体（１）の前枠部（１８）とズボンのベルトが当接するように配置させ、かつ、バンド（２４）をベルトの裏面側を通って周設することによりメガネ収納ケース（Ａ）を身体に装着させることができる。
前記したメガネ収納ケース（Ａ）の身体への装着は、ズボンやパンツのベルト通しを利用して行うこともできる。
【００３３】
【発明の効果】
本発明のメガネ収納ケース、特に合成樹脂製のメガネ収納ケースは、従来の折畳まれたメガネの全体を包囲（外包）して収納するタイプのものと比較して軽量化、コンパクト化に優れているとともに、省資源性、経済性に優れている。
本発明のメガネ収納ケースは、収納されたメガネを確実に保持することができ、またメガネの損傷がなく、抜け防止が完全であり、軽量小型で携帯性に優れており、かつ、上着などのポケットへの出し入れが容易であるとともにポケット装入時に嵩張らないなどという利点があるため、その意義は大きい。
【図面の簡単な説明】
【図１】本発明の第１実施態様のメガネ収納ケース（Ａ）の斜視図である。
【図２】本発明の第１実施態様のメガネ収納ケース（Ａ）の幅方向中央部の断面図である。
【図３】本発明の第２実施態様のメガネ収納ケース（Ａ）の斜視図である。
【図４】本発明の第２実施態様のメガネ収納ケース（Ａ）の凹部（１１１）以外の部位の断面図である。
【図５】本発明の第３実施態様のメガネ収納ケース（Ａ）の断面図であり、前記図４に対応する図である。
【図６】本発明の第４実施態様のメガネ収納ケース（Ａ）の斜視図である。
【図７】本発明の第４実施態様のメガネ収納ケース（Ａ）の幅方向中央部の断面図であり、前記図４に対応する図である。
【図８】本発明の第５実施態様のメガネ収納ケース（Ａ）の幅方向中央部の断面図であり、前記図７に対応する図である。
【図９】本発明の第５実施態様のメガネ収納ケース（Ａ）の使用態様を説明する図である。
【図１０】本発明のメガネ収納ケース（Ａ）に収納される第一例のメガネ（３）の一部を省略した斜視図である。
【図１１】本発明のメガネ収納ケース（Ａ）に収納される第二例のメガネ（３）の一部を省略した斜視図である。
【符号の説明】
Ａ    …………  メガネ収納ケース
１    …………  ケース本体（メガネ収納部）
１１  …………  前枠部
１２  …………  後枠部
１１１  ………  凹部
２    …………  蓋体
２１  …………  （蓋体の）一端部
２２  …………  （蓋体の）他端部
２３  …………  固定具
２４  …………  バンド
２５  …………  固定具（ハトメ）
２６  …………  固定具
Ｏ    …………  開口部
３    …………  メガネ
３０、３０  …………  左右レンズ
３１、３１  …………  左右レンズ固定フレーム
３２  …………  ブリッジ
３３、３３  …………  テンプル
３３１、３３１  …………  先セル
３４、３４  …………  鼻当パッド
４          …………  クリップ
５          …………  ストラップ取付孔
【図１】
2004242724.tif 000003
【図２】
2004242724.tif 000004
【図３】
2004242724.tif 000005
【図４】
2004242724.tif 000006
【図５】
2004242724.tif 000007
【図６】
2004242724.tif 000008
【図７】
2004242724.tif 000009
【図８】
2004242724.tif 000010
【図９】
2004242724.tif 000011
【図１０】
2004242724.tif 000012
【図１１】
2004242724.tif 000013